(57)【要約】      （修正有）【課題】ファンデーションなどの粉状化粧料を、無駄なく、化粧に用いることができる化粧品容器を提供する。【解決手段】ファンデーションなどの粉状化粧料が容器の隅や側面に残らないよう、容器の側面４が上面１及び底面３に対して、おおよそ直角になっている箇所を斜面にすることで、パフで取りにくい隅や側面をなくすという容器である。斜面は、ある一定の角度５の範囲の斜面であり、粉状化粧料を最後まで、均一にパフに付けることができ、本来の品質を保ったまま使い切ることができる形状になっている。【選択図】図１
2020018817.tif 000002
【特許請求の範囲】
【請求項１】
ファンデーションなどの粉状化粧料が容器の隅や側面に残らないよう、容器の側面が上面及び底面に対して、おおよそ直角になっている箇所を斜面にすることで、パフで取りにくい隅や側面をなくすという容器である。粉状化粧料の容器の側面と、その容器の底面の間の角度は３０度から３５度が最適であり、２０度から４５度を角度の範囲とする。図１は本化粧品容器の横方向断面図であり、１，２は容器の上面を表し、３は容器の底面を表し、４は側面を表す。５は底面に対する側面の角度であり、その角度は３５度が最適であるが、２０度から４５度を範囲とする。側面は斜面だけでなく、カーブを描く曲面のものもあるが、形態の説明をする上で曲面の角度を指定することは困難であるため、曲面の出発点と終着点を結んだ直線と底面の角度を指定することにすると、曲面の底面に対する角度は３５度が最適であるが、２０度から４５度を角度の範囲とする。同様に、本化粧品容器の縦方向断面図からは、底面に対する側面の角度は３０度が最適であるが、２０度から４５度を角度の範囲とする。また、対角線方向断面図からは、底面に対する側面の角度は３０度が最適であるが、２０度から４５度を角度の範囲とする。以上から、容器側面と底面の間の角度は３０度から３５度が最適であり、２０度から４５度を角度の範囲とした容器を本発明の範囲とする。
【発明の詳細な説明】
【技術分野】
【０００１】  本発明は、ファンデーションなどの粉状化粧料を、無駄なく、化粧に用いることができる化粧品容器を提供する。
【背景技術】
【０００２】  従来のファンデーションなどの粉状化粧料の化粧品容器は、プラスチック等の容器であり、丸みを帯びた四角形を上面及び底面としていて、側面は上面及び底面に対して、おおよそ直角になっている。
【発明の概要】
【発明が解決しようとする課題】
【０００３】  以上に述べた従来の化粧品容器は、ファンデーションなどの粉状化粧料が容器の隅や側面に残ってしまい、無駄なく使いきることが困難である。粉状化粧料は、パフに均一に付けて顔面に均一に付けることで、顔面をきれいに仕上げることができる。粉状化粧料を使用しているうちに、次第に容器の隅や側面にだけ残ってしまう。隅や側面に残った粉状化粧料をパフに付けようとしても、パフ全体に付けることができず、均一に付けることができず、本来の仕上がりにならない。また、隅や側面に残った粉状化粧料を無理やり取ろうとすると隅や側面から剥がれてしまい、不揃いな塊になり、さらに均一にパフに付けることができなくなる。
【課題を解決するための手段】
【０００４】  ファンデーションなどの粉状化粧料が容器の隅や側面に残らないよう、容器の側面が上面及び底面に対して、おおよそ直角になっている箇所を斜面にすることで、パフで取りにくい隅や側面をなくすという容器である。斜面は、ある一定の角度の範囲の斜面であり、粉状化粧料を最後まで、均一にパフに付けることができ、本来の品質を保ったまま使い切ることができる形状になっている。
【発明の効果】
【０００５】  従来の化粧品容器では、粉状化粧料を最後まで使い切ることなく廃棄していたり、品質を損ないながら、容器の隅や側面に残った粉状化粧料を使い切っていた。本発明により、廃棄を減らし無駄をなくすだけでなく、最後まで品質を保った満足度の高い化粧品の提供を実現するものである。
【図面の簡単な説明】
【０００６】
【図１】本化粧品容器の横方向断面図
【図２】本化粧品容器の縦方向断面図
【図３】本化粧品容器の対角線方向断面図
【図４】本化粧品容器を上面からみた外観
【発明を実施するための形態】
【０００７】  以下、本発明を実施するための形態を説明する。
【０００８】  図において、本化粧品容器の一例となる形態を示す。一例というのは、化粧品容器の上面及び底面の縦横の長さ、対角線の長さ、角の丸みは様々であり、本発明はその長さが重要なのではなく、側面に対する上面及び底面の角度、つまり側面の斜面の角度が重要であるため、角度に焦点を絞って形態を示す。また、説明の便宜上、本化粧品容器の上面及び底面の辺のうち、長い方を縦、短い方を横として、対角となる角を結んだ直線を対角線とする。また、本容器の底の面を底面とし、その対面を上面とする。図４は化粧品本体を上面から見た外観で、横方向（Ａ−Ａ）に切ったときの断面図を図１とし、縦方向（Ｂ−Ｂ）に切ったときの断面図を図２とし、対角線方向（Ｃ−Ｃ）に切ったときの断面図を図３とする。図１，２，３の１は化粧品容器上面であるが、これは側面の傾斜の最高点が容器の最高点と等しいときの上面である。側面の傾斜の最高点より容器の最高点が高いときは、すなわち傾斜のある容器の上に粉状化粧料を垂直方向に上乗せしている状態であり、つまり本容器の傾斜を応用したものである。よって、この場合の容器上面は２となるが、傾斜の最高点の面である、１を上面として、その最高点と底面を結んだ直線と底面との角度を本発明の角度とする。図１，２，３の３は容器の底面である。図１の４、図２の６、図３の８は、それぞれの容器側面であり、傾斜のものと曲線のものがあるが、便宜上傾斜で描いている。図１は本化粧品容器の横方向断面図であり、５は底面に対する側面の角度であり、その角度は３５度が最適であるが、２０度から４５度を範囲とする。側面は斜面だけでなく、カーブを描く曲面のものもあるが、形態の説明をする上で曲面の角度を指定することは困難であるため、曲面の出発点と終着点を結んだ直線と底面の角度を指定することにすると、曲面の底面に対する角度は３５度が最適であるが、２０度から４５度を範囲とする。同様に、図２は本化粧品容器の縦方向断面図であり、７は底面に対する側面の角度であり、その角度は３０度が最適であるが、２０度から４５度を範囲とする。側面が曲面である場合は、曲面の出発点と終着点を結んだ直線と底面の角度を指定することにすると、曲面の底面に対する角度は３０度が最適であるが、２０度から４５度を範囲とする。同様に、図３は本化粧品容器の対角線方向断面図であり、９は底面に対する側面の角度であり、その角度は３０度が最適であるが、２０度から４５度を範囲とする。側面が曲面である場合は、曲面の出発点と終着点を結んだ直線と底面の角度を指定することにすると、曲面の底面に対する角度は３０度が最適であるが、２０度から４５度を範囲とする。但し、対角線の側面は角の丸みを描くために、角の位置によって、側面の斜面及び曲面の角度は異なる。よって、上面の対角にある最も離れた点と底面の対角にある最も離れた点をそれぞれの角点とし、その角点を結んだ直線と底面の角度を９としており、その角度は３０度が最適であるが、２０度から４５度を範囲とする。上面と底面の角点を結んだ直線と底面の角度を、斜面の角度として指定することとする。曲面についても同様で、上面と底面の角点を結んだ直線と底面の角度を、曲面の角度をして指定することとする。
【符号の説明】
【０００９】１    化粧品容器本体の上面（側面の傾斜の最高点と容器の最高点が等しいとき）
２    化粧品容器本体の上面（側面の傾斜の最高点より容器の最高点が高いとき）
３    化粧品容器本体の底面
４    化粧品容器本体の側面（横方向断面においての）
５    側面と底面の角度（横方向断面においての）
６    化粧品容器本体の側面（縦方向断面においての）
７    側面と底面の角度（縦方向断面においての）
８    化粧品容器本体の側面（対角線方向断面においての）
９    側面と底面の角度（対角線方向断面においての）
１０  横方向の切断面（Ａ−Ａ）
１１  縦方向の切断面（Ｂ−Ｂ）
１２  対角線方向の切断面（Ｃ−Ｃ）
【図１】
2020018817.tif 000003
【図２】
2020018817.tif 000004
【図３】
2020018817.tif 000005
【図４】
2020018817.tif 000006